(57)【要約】      （修正有）【課題】装着者が金属アレルギー性皮膚炎を起こすことを抑制可能な装身具を提供する。【解決手段】ピアスポスト１１は針状の棒体であり、合成樹脂で形成してある。ピアスポスト１１として、金属製の棒体を合成樹脂で被覆したものも採用できる。ピアスポスト１１の基端には円盤状の台座部１２が取り付けてある。台座部１２はその両面がフェルト１３,１４で被覆されるので、金属製であっても構わない。フェルト１３,１４は台座部１２に糊着してある。台座部１２の、装着時における耳たぶと反対側の面に貼着されたフェルト１４には、装飾部１５が取り付けてある。装飾部１５は宝玉類や貴金属などで構成される。【選択図】図１
0003203350.tif 000002
【実用新案登録請求の範囲】
【請求項１】
ピアスポストあるいはイヤリングの取付部を合成樹脂で形成しあるいは合成樹脂でコーティングした装身具であって、装飾部を取り付ける台座部の両面をフェルトで被覆したことを特徴とする装身具。
【請求項２】
フェルトを除菌加工した請求項１に記載の装身具。
【考案の詳細な説明】
【技術分野】
【０００１】
本考案はピアスやイヤリングといった耳たぶに取り付ける装身具に関し、より詳しくは装着者が金属アレルギー性皮膚炎を起こすことを抑制可能な装身具に関する。
【背景技術】
【０００２】
耳たぶに装着する装身具としてはピアスとイヤリングが一般的である。
【０００３】
ピアスは、耳たぶに穿けられたピアス孔に金属製ピアス部（ピアスポスト）を挿通して耳たぶに固定するものである。図３は一般的なピアスを示すものである。ピアスポスト１の基端には台座部２が設けられており、当該台座部２に装飾部３が取り付けられるものである。
【０００４】
一方、イヤリングはクリップやネジ、磁石等の取付部材で耳たぶに固定するものである。図４は一般的なイヤリングを示すものである。取付部材４の基端には台座部５が設けられており、当該台座部５に装飾部６が取り付けられるものである。
【０００５】
ピアスの場合、金属製ピアス部（ピアスポスト）が身体に直接触れるため、ニッケル、亜鉛、銅、鉄等の金属成分によってアレルギー性皮膚炎を引き起こすことがある。他方でイヤリングもクリップやネジ、磁石等の取付部材が金属製であればピアスの場合と同様にアレルギー性皮膚炎を引き起こすことがある。
【０００６】
そこで、かかるアレルギーの発症を防ぐことを目的として、ピアスポストやイヤリングの取付部材を樹脂で形成することが行われている。
【０００７】
また、特許文献１にはピアスポストをフッ素樹脂でコーティングすることで、アレルギーを抑えるピアスが開示されている。特許文献２には、ポストの台座の裏面及びキャッチを樹脂でコーティングすることでアレルギーを抑えるピアスが開示されている。
【先行技術文献】
【特許文献】
【０００８】
【特許文献１】特開平９−７５１１６号公報
【特許文献２】登録実用新案公報第３０１１６１３号公報
【考案の概要】
【考案が解決しようとする課題】
【０００９】
上記ピアスポストやイヤリングの取付部材を樹脂で形成した装身具も、またピアスポストやイヤリングの取付部材を樹脂コーティングした装身具も、耳に触れる部分全てが樹脂で製造されているわけではなく、あるいは樹脂コーティングが施してあるわけでもない。例えばピアスポストの基端に存し装飾部を取り付ける台座部が金属製であれば、金属と皮膚が接触する部分が生じてしまい、金属アレルギー性皮膚炎を引き起こしかねない。かかる事情は取付部材を樹脂で形成し、あるいはコーティングしたイヤリングでも同じである。
【００１０】
本考案は上記問題点を解決可能な装身具を提供することを目的とする。
【課題を解決するための手段】
【００１１】
上記の目的を達成する本考案の構成は次の通りである。
【００１２】
（１）  請求項１に記載の考案は、ピアスポストあるいはイヤリングの取付部材を合成樹脂で形成し、あるいは合成樹脂でコーティングした装身具において、装飾部を取り付ける台座部の両面をフェルトで被覆して構成した。
【００１３】
（２）  請求項２に記載の考案は、請求項１記載の装身具において、フェルトに除菌加工を施して構成した。
【考案の効果】
【００１４】
上記のように構成される本考案が、如何に作用して課題を解決するかを図面を参照しながら概説する。
【００１５】
図１は本考案にかかるピアス１０を示すものである。ピアス１０は、台座部１２の両面がフェルト１３、１４で被覆されている。ゆえに仮想線で示される耳たぶ７が、台座部１２に触れることがなく、更には装飾部１５に触れることもない。それゆえ耳たぶが金属部分に触れることがなく、金属アレルギー性皮膚炎の発症を可及的に抑制可能となるのである。  更にはフェルト１３、１４を貼ることで強度が増し、大き目の装飾部１５を取り付けることが可能となり、装飾性が高まり、装身具としての魅力を増すことも可能となる。
【００１６】
図２は本考案にかかるイヤリング２０を示すものである。イヤリング２０は、台座部２２の両面がフェルト２３、２４で被覆されている。ゆえに仮想線で示される耳たぶ７が、台座部２２に触れることがなく、更には装飾部２５に触れることもない。それゆえ耳たぶが金属部分に触れることがなく、金属アレルギー性皮膚炎の発症を可及的に抑制可能となるのである。
【００１７】
更にはフェルト２３、２４を貼ることで強度が増し、大き目の装飾部２５を取り付けることが可能となり、装飾性が高まり、装身具としての魅力を増すことも可能となる。
【００１８】
請求項２に記載の考案においてはフェルトが除菌加工されている。これにより耳たぶにあけたピアス孔から細菌に感染することを抑制可能となるのである。
【図面の簡単な説明】
【００１９】
【図１】本考案にかかるピアスの説明図
【図２】本考案にかかるイヤリングの説明図
【図３】従来のピアスの説明図
【図４】従来のイヤリングの説明図
【考案を実施するための形態】
【００２０】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。
【００２１】
図１は本考案をピアスとして実施した状態を示すものである。ピアスポスト１１は針状の棒体であり、合成樹脂で形成してある。ピアスポスト１１として、金属製の棒体を合成樹脂で被覆したものも採用できる。
【００２２】
ピアスポスト１１の基端には円盤状の台座部１２が取り付けてある。台座部１２はその両面がフェルト１３,１４で被覆されるので、金属製であっても構わない。フェルト１３,１４は台座部１２に糊着してある。台座部１２の、装着時における耳たぶと反対側の面に貼着されたフェルト１４には、装飾部１５が取り付けてある。装飾部１５は宝玉類や貴金属などで構成される。
【００２３】
図２は本考案をイヤリングとして実施した状態を示すものである。取付部材２１は樹脂を円弧状に形成し、弾性を付与することで耳たぶを挟持し、イヤリング２０を耳たぶに固定する役目を果たすものである。取付部材２１は合成樹脂で形成してある。取付部材２１は金属で形成し合成樹脂で被覆したものも採用できる。
【００２４】
取付部材２１の基端には円盤状の台座部２２が取り付けてある。台座部２２はその両面がフェルト２３,２４で被覆されるので、金属製であっても構わない。フェルト２３,２４は台座部２２に糊着してある。台座部２２の、装着時における耳たぶと反対側の面に貼着されたフェルト２４には、装飾部２５が取り付けてある。装飾部２５は宝玉類や貴金属などで構成される。
【００２５】
請求項２に記載の考案においてはフェルトに除菌剤を含浸させてある。除菌剤としては布製品に汎用される第４級アンモニウム型抗菌剤などを使用可能である。
【符号の説明】
【００２６】
１０・・ピアス            １１・・ピアスポスト      １２・・台座部
１３，１４・・フェルト    １５・・装飾部
２０・・イヤリング        ２１・・取付部材          ２２・・台座部
２３，２４・・フェルト    ２５装飾部  
【図１】
0003203350.tif 000003
【図２】
0003203350.tif 000004
【図３】
0003203350.tif 000005
【図４】
0003203350.tif 000006